【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
複数のデータが属する集合を指定する第一の指定手段と、
前記集合に属する複数のデータを表示するのか否か、前記集合に属する複数のデータの概要を表示するのか否かの表示方法を指定する第二の指定手段と、
前記第二の指定手段により前記集合に属する複数のデータの表示が指定されたことに応じて、第一の指定手段により指定された集合に属する複数のデータを表示する制御を行う第一の表示制御手段と、
前記第二の指定手段により前記集合に属する複数のデータの概要の表示が指定されたことに応じて、第一の指定手段により指定された集合に属する複数のデータの概要を表示する制御を行う第二の表示制御手段と、
を備え、
前記第二の表示制御手段は前記第一の表示制御手段が行う表示制御よりも小さな倍率で表示制御を行うことを特徴とする情報処理装置。
【請求項２】
前記第二の表示制御手段は、前記第一の表示制御手段で表示制御される情報の一部を省略して表示制御を行う
ことを特徴とする請求項１記載の情報処理装置。
【請求項３】
特定の集合に属するデータを表示するために必要な情報を記憶する表示情報記憶手段をさらに備え、
前記第一の表示制御手段は、表示のためにデータから取得した情報を前記表示情報記憶手段に書き込み、
前記第二の表示制御手段は、前記表示情報記憶手段に記憶された情報を参照して表示制御を行う
ことを特徴とする請求項１または２記載の情報処理装置。
【請求項４】
複数のデータが属する集合を指定する第一の指定ステップと、
前記集合に属する複数のデータを表示するのか否か、前記集合に属する複数のデータの概要を表示するのか否かの表示方法を指定する第二の指定ステップと、
前記第二の指定ステップで前記集合に属する複数のデータの表示が指定されたことに応じて、第一の指定ステップで指定された集合に属する複数のデータを表示する制御を行う第一の表示制御ステップと、
前記第二の指定ステップで前記集合に属する複数のデータの概要の表示が指定されたことに応じて、第一の指定ステップで指定された集合に属する複数のデータの概要を表示する制御を行う第二の表示制御ステップと
の各処理をコンピュータに実行させるとともに、
前記第二の表示制御ステップは前記第一の表示制御ステップが行う表示制御よりも小さな倍率で表示制御を行うことを特徴とする情報処理プログラム。
【手続補正２】
【補正対象書類名】明細書
【補正対象項目名】０００７
【補正方法】変更
【補正の内容】
【０００７】
請求項１記載の情報処理装置は、複数のデータが属する集合を指定する第一の指定手段と、前記集合に属する複数のデータを表示するのか否か、前記集合に属する複数のデータの概要を表示するのか否かの表示方法を指定する第二の指定手段と、前記第二の指定手段により前記集合に属する複数のデータの表示が指定されたことに応じて、第一の指定手段により指定された集合に属する複数のデータを表示する制御を行う第一の表示制御手段と、前記第二の指定手段により前記集合に属する複数のデータの概要の表示が指定されたことに応じて、第一の指定手段により指定された集合に属する複数のデータの概要を表示する制御を行う第二の表示制御手段と、を備え、前記第二の表示制御手段は前記第一の表示制御手段が行う表示制御よりも小さな倍率で表示制御を行うことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項２記載の情報処理装置は、請求項１記載の情報処理装置において、前記第二の表示制御手段は、前記第一の表示制御手段で表示制御される情報の一部を省略して表示制御を行うことを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
請求項３記載の情報処理装置は、請求項１または２記載の情報処理装置において、特定の集合に属するデータを表示するために必要な情報を記憶する表示情報記憶手段をさらに備え、前記第一の表示制御手段は、表示のためにデータから取得した情報を前記表示情報記憶手段に書き込み、前記第二の表示制御手段は、前記表示情報記憶手段に記憶された情報を参照して表示制御を行うことを特徴とする。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
請求項４記載の情報処理プログラムは、複数のデータが属する集合を指定する第一の指定ステップと、前記集合に属する複数のデータを表示するのか否か、前記集合に属する複数のデータの概要を表示するのか否かの表示方法を指定する第二の指定ステップと、前記第二の指定ステップで前記集合に属する複数のデータの表示が指定されたことに応じて、第一の指定ステップで指定された集合に属する複数のデータを表示する制御を行う第一の表示制御ステップと、前記第二の指定ステップで前記集合に属する複数のデータの概要の表示が指定されたことに応じて、第一の指定ステップで指定された集合に属する複数のデータの概要を表示する制御を行う第二の表示制御ステップとの各処理をコンピュータに実行させるとともに、前記第二の表示制御ステップは前記第一の表示制御ステップが行う表示制御よりも小さな倍率で表示制御を行うことを特徴とすることを特徴とする。
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
請求項１記載の情報処理装置によれば、第一の表示制御手段による制御の表示と、小さな倍率で表示して計算量や使用データ量が少ない概要の表示が可能な第二の表示制御手段の表示とを指定することが可能であり、操作者は目的に応じて表示対象と表示内容を選択できる。
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】変更
【補正の内容】
【００３１】
請求項２記載の情報処理装置によれば、第二の表示制御手段は、第一の表示制御手段で表示制御される情報の一部を省略し、計算量や使用データ量が少ない概要の表示を制御することができる。
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】変更
【補正の内容】
【００３３】
請求項３記載の情報処理装置によれば、第一の表示制御手段が取得した情報を表示情報記憶手段に記憶しておき、第二の表示制御手段は当該表示情報記憶手段に記憶された情報を参照して表示を制御し、計算量や使用データ量が少ない概要の表示を制御することができる。
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】変更
【補正の内容】
【００４１】
請求項４記載の情報処理プログラムによれば、第一の表示制御ステップでの制御による表示と、小さな倍率で表示して計算量や使用データ量が少ない概要の表示が可能な第二の表示制御ステップでの制御による表示とを指定することが可能であり、操作者は目的に応じて表示対象と表示内容を選択できる。
【手続補正３７】
【補正対象書類名】明細書
【補正対象項目名】００４２
【補正方法】削除
【補正の内容】